(57)【要約】【課題】シールド層の端末を全周均一に固定することが可能であり、また、シールド層の端末の固定状態が良好で、さらには、工数の掛からないシールド端末処理構造を提供する。【解決手段】シールドリング２１の内側筒部２７と外側筒部２８との間にシールド層２３の端末を筒状押し込み治具２４を用いて差し込んだ状態で、この差し込みの逆方向からシールドシェル２２をシールドリング２１内に差し込むと、シールドリング２１はシールドシェル２２により押圧されて内側筒部２７と外側筒部２８との間隔が狭まりシールド層２３の端末の挟み込みが生じる。これにより、固定状態が形成される。すなわち、シールドリング２１及びシールドシェル２２がシールド層２３の端末に固定される。【選択図】図１
2008125200.tif 000002
【特許請求の範囲】
【請求項１】
導電性を有するシールドシェル及びシールドリングを筒状のシールド層の端末に固定するシールド端末処理構造において、
前記シールドリングは、筒状部材をこの中間で折り返して、折り返し部と該折り返し部に連続する内側筒部及び外側筒部とを有する断面視略Ｖ字状となる形状に形成され、さらに、
前記シールドリングは、前記内側筒部と前記外側筒部との間に前記シールド層の端末を差し込んだ状態で、この差し込みの逆方向から前記シールドシェルを前記シールドリング内に差し込むと、前記シールドシェルにより押圧されて前記内側筒部と前記外側筒部との間隔が狭まり前記シールド層の挟み込みが生じて固定状態が形成される
ことを特徴とするシールド端末処理構造。
【請求項２】
請求項１に記載のシールド端末処理構造において、
前記シールド層の端末には、筒状押し込み治具の押し部分となる鍔部又は引掛かり部が折り曲げにより形成される
ことを特徴とするシールド端末処理構造。
【発明の詳細な説明】
【技術分野】
【０００１】
本発明は、導電性を有するシールドシェル及びシールドリングを筒状のシールド層の端末に固定するシールド端末処理構造に関する。
【背景技術】
【０００２】
例えば、電気自動車やハイブリッド車においては、搭載されるモータに接続される大電流・高電圧の電源線やケーブルなどから電磁波が発生することが知られている。従って、電磁波による影響を防ぎ、また、外部からの電磁波の影響も防ぐことができるような、電磁波シールド対策を施すことが重要な課題になっている。電磁波シールド対策に関しては、下記特許文献１に次のような技術が開示されている。
【０００３】
図３において、引用符号１は導電性の金属素線を編んで筒状に形成したシールド層（編組）を示している。シールド層１の内部には、複数本の電線２が挿通されている。複数本の電線２は、この外側がシールド層１によって覆われている。複数本の電線２は、例えばモータの金属ケース３に形成された穴４に挿通されている。シールド層１の端末は、導電性を有するシールドシェル５を介して金属ケース３に接続固定されている。シールド層１の端末とシールドシェル５との固定は、固定バンド６の加締めにより行われている。シールド層１の端末は、この全周が固定バンド６の加締めによってシールドシェル５に対し圧着されている。
【０００４】
ところで、シールド層の端末とシールドシェルとの固定に関しては、次のような技術も知られている。図４において、下記特許文献２には、導電性を有するシールドシェル１１及びシールドリング１２のスライド移動により、これらを筒状のシールド層１３の端末に固定するシールド端末処理構造の技術が開示されている。シールドシェル１１の端部には、外側に屈曲する第一短冊片１４と、内側に屈曲する第二短冊片１５とが円周方向に交互に並んで形成されている。
【０００５】
シールド層１３の端末は、外側に屈曲する第一短冊片１４と、内側に屈曲する第二短冊片１５との間に差し込まれ、この後にシールドリング１２をスライド移動させることにより固定状態が形成されるようになっている。具体的には、シールドリング１２がスライド移動すると、外側に屈曲する第一短冊片１４が内側へ曲げられ、これにより第二短冊片１５との間で挟み込みが生じて固定状態が形成されるようになっている。
【０００６】
下記特許文献２の場合、シールド電線１６に関してのシールド端末処理構造であるが、このようなシールド端末処理構造は、図３を参照しながら説明した上記の構造にも適用することができるものと考えられる。
【特許文献１】特開２００３−１１５２２３号公報
【特許文献２】特開平１１−２６２１５１号公報
【発明の開示】
【発明が解決しようとする課題】
【０００７】
上記従来技術にあっては、幾つかの問題点を有している。すなわち、図３の場合、シールド層１の端末全周をシールドシェル５に対して圧着するためには、固定バンド６を全周にわたって加締めないと均一な圧着状態が得られないという問題点を有している。また、全周加締めは、一回の加締め工程で行うことができないこともあり、工数面に影響を来してしまう可能性を有している。
【０００８】
一方、図４の場合、シールドリング１２のスライド移動による固定は、上記のような工数面の影響がないことから良好であると言えるが、外側に屈曲する第一短冊片１４と内側に屈曲する第二短冊片１５との構造では、全周均一な固定状態の形成が望めず（シールド層１３の挟み込みは、第二短冊片１５とシールドリング１２、及び、隣り合う第一短冊片１４と第二短冊片１５の側部間）、また、シールド層１３の端末の差し込みの際に端末が各短冊片のエッジ部分に引っ掛かってほつれ易く、さらには、外側に屈曲する第一短冊片１４が内側へ曲げられると、第一短冊片１４と第二短冊片１５とで恰もハサミで切ったような状態が端末に生じる可能性がある。図４の場合は、このような幾つかの問題点を有している。
【０００９】
本発明は、上述した事情に鑑みてなされたもので、シールド層の端末を全周均一に固定することが可能であり、また、シールド層の端末の固定状態が良好で、さらには、工数の掛からないシールド端末処理構造を提供することを課題とする。
【課題を解決するための手段】
【００１０】
上記課題を解決するためになされた請求項１記載の本発明のシールド端末処理構造は、導電性を有するシールドシェル及びシールドリングを筒状のシールド層の端末に固定するシールド端末処理構造において、前記シールドリングは、筒状部材をこの中間で折り返して、折り返し部と該折り返し部に連続する内側筒部及び外側筒部とを有する断面視略Ｖ字状となる形状に形成され、さらに、前記シールドリングは、前記内側筒部と前記外側筒部との間に前記シールド層の端末を差し込んだ状態で、この差し込みの逆方向から前記シールドシェルを前記シールドリング内に差し込むと、前記シールドシェルにより押圧されて前記内側筒部と前記外側筒部との間隔が狭まり前記シールド層の挟み込みが生じて固定状態が形成されることを特徴としている。
【００１１】
請求項２記載の本発明のシールド端末処理構造は、請求項１に記載のシールド端末処理構造において、前記シールド層の端末には、筒状押し込み治具の押し部分となる鍔部又は引掛かり部が折り曲げにより形成されることを特徴としている。
【発明の効果】
【００１２】
請求項１に記載された本発明によれば、特にシールドリングの形状の特徴により、シールド層の端末を全周均一に固定することができるという効果を奏する。また、シールド層の端末を良好な固定状態にすることができるという効果を奏する。さらに、本発明に係るシールドリングとシールドシェルとの差し込み固定により、スライド移動の場合と同様の工数の掛からないシールド端末処理構造を提供することができるという効果を奏する。
【００１３】
請求項２に記載された本発明によれば、作業性の向上を図ることができるという効果を奏する。
【発明を実施するための最良の形態】
【００１４】
以下、図面を参照しながら説明する。図１は本発明の一実施の形態を示すシールド端末処理構造の分解斜視図である。また、図２はシールド層の端末を固定する作業に係る説明図である。
【００１５】
図１において、引用符号２１は導電性を有する金属製のシールドリングを示している。また、引用符号２２はシールドリング２１と同様に導電性を有する金属製のシールドシェルを示している。シールドリング２１及びシールドシェル２２は、シールドリング２１の内側にシールドシェル２２を差し込むことによって、これらが筒状のシールド層２３の端末に固定されるような構造（シールド端末処理構造）を有している。引用符号２４はシールド層２３の端末をシールドリング２１に差し込む際に用いられる筒状押し込み治具を示している。以下、図１及び図２を参照しながら各構成部材について説明する。
【００１６】
シールドリング２１は、スリット２５を周方向に複数等間隔で有する筒状部材をこの中間（スリット２５の部分）で内側へ折り返してなるものであって、折り返し部２６と、この折り返し部２６に連続する内側筒部２７及び外側筒部２８とを有する断面視略Ｖ字状となる図示のような形状に形成されている。シールドリング２１は、スリット２５を複数形成することによって、筒状部材をこの中間で内側へ折り返しすることができるようになっている。
【００１７】
折り返し部２６は、スリット２５の部分で上記筒状部材の折り返しがなされていることから、このスリット２５によって複数に分断されたような状態に形成されている。折り返し部２６は、折り返しにより形成される曲面を有しており、この曲面によってシールドシェル２２が内側筒部２７へ案内されるような状態になっている。内側筒部２７及び外側筒部２８は、共に略円筒状に形成されている。シールドリング２１の軸方向となる内側筒部２７及び外側筒部２８の長さは、本形態において内側筒部２７の方が短くなるように設定されている（一例であるものとする）。内側筒部２７及び外側筒部２８は、折り返し部２６から離れるにつれて間隔が広がるように形成されている。シールドリング２１は、略王冠状となる形状に形成されている。
【００１８】
シールドシェル２２は、シールドリング２１の内側筒部２７に差し込まれる差し込み円筒部２９と、例えばアース部材に接続固定される部分（図示省略）とを有するように形成されている。差し込み円筒部２９は、シールドリング２１の折り返し部２６の直径よりも若干小さな外径を有するように、また、シールドリング２１の内側筒部２７における開口部分の内径よりも若干大きな外径を有するように形成されている。差し込み円筒部２９は、この先端開口縁にテーパ３０が形成されている。テーパ３０は、先端を窄めるような形状に形成されている。テーパ３０は、差し込み円筒部２９の内側筒部２７への差し込みを容易にするために形成されている。
【００１９】
シールド層２３は、導電性の金属素線を編んで筒状に形成される所謂、編組であって、この内部に複数本の電線３１を挿通することができるようになっている。シールド層２３は、電磁波による影響を周囲等に及ぼさないようにするために備えられている。このようなシールド層２３の端末には、筒状押し込み治具２４の押し部分となる鍔部３２が折り曲げによって形成されている（図示の鍔部３２に替えて筒状押し込み治具２４が引っ掛かるような引掛かり部３３（図２参照）を折り曲げ・折り返しにより形成しても良いものとする。筒状押し込み治具２４を用いない場合には、鍔部３２、引掛かり部３３の形成は任意であるものとする）。
【００２０】
筒状押し込み治具２４は、金属製又は合成樹脂製の円筒状の部材であって、シールド層２３の外側をスライドするように形成されている（スライド自在）。筒状押し込み治具２４は、この外径がシールドリング２１の内側筒部２７における開口部分の外径よりも若干大きく、また、外側筒部２８における開口部分の内径よりも若干小さくなるように形成されている。筒状押し込み治具２４の肉厚は、内側筒部２７における開口部分の外径と外側筒部２８における開口部分の内径とを考慮して設定されている（シールドリング２１に対して差し込まれる側の肉厚が例えば次第に薄くなるような形状に形成しても良いものとする）。
【００２１】
筒状押し込み治具２４は、シールド層２３の端末をシールドリング２１に差し込みし易くするために備えられている（シールド層２３の端末を筒状押し込み治具２４を用いずにシールドリング２１に差し込みすることが容易であれば、筒状押し込み治具２４の使用は強制されないものとする）。筒状押し込み治具２４は、シールド層２３の端末をシールドリング２１に差し込みする際に、端末のほつれが生じないようにする（傷付きが生じない）ことができるという効果を有している。
【００２２】
上記構成において、シールドリング２１の内側筒部２７と外側筒部２８との間にシールド層２３の端末を筒状押し込み治具２４を用いて差し込んだ状態で（図２（ａ）、（ｂ）参照）、この差し込みの逆方向からシールドシェル２２をシールドリング２１内に差し込むと、シールドリング２１はシールドシェル２２により押圧されて内側筒部２７と外側筒部２８との間隔が狭まりシールド層２３の端末の挟み込みが生じる（図２（ｃ）参照）。これにより、固定状態が形成される。すなわち、シールドリング２１及びシールドシェル２２がシールド層２３の端末に固定される。
【００２３】
ここで固定状態の形成に関して補足説明をする。シールド層２３の端末の鍔部３２（引掛かり部３３）は、シールドリング２１の内側筒部２７と外側筒部２８との間に差し込まれると、元の状態に戻ろうとする力が働いてシールドリング２１からの脱落が規制される。言い換えれば、仮止めの状態が形成される。そして、この状態からシールドシェル２２をシールドリング２１内に差し込むと、シールド層２３の端末はシールドリング２１の内側筒部２７と外側筒部２８との間に均一な力で挟み込まれる。
【００２４】
以上、図１及び図２を参照しながら説明してきたように、特にシールドリング２１の形状の特徴によって、シールド層２３の端末を全周均一に固定することができるという効果を奏する。また、シールド層２３の端末を従来よりも格段に良好な固定状態にすることができるという効果を奏する。さらに、シールドリング２１とシールドシェル２２との差し込み固定により、従来例のスライド移動の場合と同様の工数の掛からないシールド端末処理構造を提供することができるという効果を奏する。
【００２５】
その他、本発明は本発明の主旨を変えない範囲で種々変更実施可能なことは勿論である。
【図面の簡単な説明】
【００２６】
【図１】本発明の一実施の形態を示すシールド端末処理構造の分解斜視図である。
【図２】シールド層の端末を固定する作業に係る説明図である。
【図３】従来のシールド端末処理構造を示す断面図である。
【図４】従来の他のシールド端末処理構造を示す斜視図である。
【符号の説明】
【００２７】
２１  シールドリング
２２  シールドシェル
２３  シールド層
２４  筒状押し込み治具
２５  スリット
２６  折り返し部
２７  内側筒部
２８  外側筒部
２９  差し込み円筒部
３０  テーパ
３１  電線
３２  鍔部
３３  引掛かり部
【図１】
2008125200.tif 000003
【図２】
2008125200.tif 000004
【図３】
2008125200.tif 000005
【図４】
2008125200.tif 000006